(57)【要約】【課題】縮めたときの形状に偏りが発生する虞れのないジグザグ構造のケーブルガイド装置を提供すること。【解決手段】複数のアーム部材５Ａ、５Ｂによりジグザグ構造に作られたケーブルガイド装置において、アーム部材５Ａの板部材２Ａに対する角度が予め決められた角度以下にならないように制限する部材として、金具側ストッパー１１を設け、アーム部材相互の角度が予め決められた角度以下にならないように制限する部材として、アーム側ストッパー１２を設けたもの。【選択図】図５
2009254156.tif 000002
【特許請求の範囲】
【請求項１】
ケーブルを保持する複数のアーム部材を関節により相互に連結して伸縮自在にしたジグザグ構造のケーブルガイド装置において、
前記関節に前記アーム部材相互の角度が予め決められた角度以下にならないように制限する閉じ角度制限部材が設けられていることを特徴とするケーブルガイド装置。
【発明の詳細な説明】
【技術分野】
【０００１】
本発明は、ジグザク構造による伸縮式のケーブルガイド装置に係り、特に、吊り下げ型の画像モニタ装置に好適なケーブルガイド装置に関する。
【背景技術】
【０００２】
近年、防犯や安全性保持の見地から、画像のモニタによる監視システムの設置が進んでいるが、このとき、天井にモニタ装置の収納部を取付け、モニタ装置を使用するときには天井から吊り下げた状態で収納部からモニタ装置を引き出し、モニタの観察に適した高さに位置決めしておき、使用しないときには押し上げて収納部に納めた状態にしておくようにした天井吊り下げ型モニタ装置が従来から知られている。
【０００３】
そこで、この天井吊り下げ型モニタ装置の従来技術による一例について、図７により説明すると、ここで、先ず、図７の(a)において、１は収納部で、モニタ装置Ｍの収納用として底のない略正方形の箱型容器で作られ、その頂部が天井などの構造物(図示してない)に取付けられた状態で設置される。
次に、２は底板部で、収納部１の左右両側にある多段摺動伸縮型の部材からなる昇降レール３Ａ、３Ｂにより、収納部１から吊り下げた状態で当該収納部１に対して伸縮自在に保持され、その上にモニタ装置Ｍが載置され固定されている。
【０００４】
次に、図７の(b)は、図７(a)の状態から底板部２を押し上げ、昇降レール３Ａ、３Ｂが縮められ、当該底板部２が収納部１の底部に接するまで移動させられた状態を示したもので、このときモニタ装置Ｍは収納部１の中に収納され、塵埃などから保護されるようになっている。
このとき、モニタ装置Ｍには電源電力と画像信号を供給しなければならないので、ケーブル４が接続されているが、このケーブル４は、モニタ装置Ｍの移動に際して屈曲状態が変化するので、固定させておくことができない。
【０００５】
そこで、伸縮自在で折り畳みが可能なジグザグ(zigzag)構造のケーブルガイド装置５を用い、モニタ装置Ｍの後側で、このケーブルガイド装置５にケーブル４を保持させることにより、図７(ａ)の状態にしたときも、図７(ｂ)に示す状態にしたときも、ケーブルガイド装置５が自在に伸縮し、ケーブル４は常にケーブルガイド装置５に沿って伸ばされたり折り曲げられたりしながらもガイドされ、ケーブル４が絡まったりすることが無いようにしている。
【０００６】
次に、このケーブルガイド装置５の詳細について説明すると、これは、図７(a)、(b)から明らかなように、６本のアーム部材５Ａ〜５Ｆを端部で回動可能に連結して関節部とした６段のジグザグ構造に作られているが、ここで、これらのアーム部材５Ａ〜５Ｆは、図８と図９に示すように、それぞれ底辺が短くなっている略Ｌ字形断面の部材(アングル材)で作られ、それぞれに孔Ｈが形成してあり、この孔Ｈにケーブル保持用具を取付け、ケーブル４が保持されるようになっている。
【０００７】
このとき、図８の板部材２Ａは、底板部２の一部又は底板部２に取付けられるようになっている板状の部材で、これにＬ字形の支持金具６が取付けられている。そして、この支持金具６に１段目のアーム部材５Ａの一方の端部を、関節の軸となるネジ７により回動自在に保持させた上で、この１段目のアーム部材５Ａの他方の端部には、２段目のアーム部材５Ｂの一方の端部を、同じく関節の軸となるネジ７により回動自在に保持させたものであり、他の３段目から６段目までの関節についても同様に構成されている。
【０００８】
また、このとき、例えば１段目のアーム部材５Ａの一方の端部では、ネジ７が挿通される孔が大きな径にされていて、ここに、アーム部材５Ａの板厚よりも若干、例えは０．５ｍｍ程度厚いワッシャ状のスペーサ８を挿入し、その上で大径のワッシャ９を介してネジ７を支持金具６の雌ネジ孔にねじ込み、緩みが生じないようにナット１０によりダブルナット方式によりネジ７が固定関節金具６に固定されるようにしてある。
【０００９】
ここで、図９は、１段目のアーム部材５Ａと２段目のアーム部材５Ｂについて組立を終わった状態を、図８とは反対側から見た場合で、この場合は図７と同じ側から見た状態になっており、この結果、この図９によれば、アーム部材５Ａ〜５Ｆがそれぞれ底辺が短くなっている略Ｌ字形断面の部材で作られていることが良く判る。
そして、このことは、他の関節部分でも同じ構成になっており、これにより、各アーム部材５Ａ〜５Ｆが関節で自由に動き、ケーブルガイド装置５が全体で伸縮動作し、これにケーブル４が保持されることにより、モニタ装置Ｍの昇降に際してケーブル４が絡まったりしないようにすることができる。
【発明の開示】
【発明が解決しようとする課題】
【００１０】
上記従来技術は、ケーブルガイド装置が縮められ折り畳まれたときジグザグ形状に発生する偏りに配慮がされておらず、伸縮動作に支障を生じてしまうという問題があった。
詳しく説明すると、アーム部材(５Ａ〜５Ｆ)の各関節にはクリアランスの存在が避けられないが、このクリアランスは、ケーブルガイド装置の場合、各関節分合計されることになるので、ケーブルガイド装置全体ではぐらつきを作ってしまう。
そうすると、このぐらつきによる偏り応力が押し上げ動作時に下端の支持金具６に集中し、支持金具６の直角曲げ部分に変形を起し、ケーブル４の支持が底板部２に対して垂直を保てなくしたり、二次的にケーブルガイド装置自体の各部での干渉が助長されてしまうという問題が生じてしまうのである。
【００１１】
また、底板部２を押し上げモニタ装置Ｍを収納部１の中に収納する際にもケーブルガイド装置５に偏りが発生してしまうので、図１０に示すように、昇降レール３Ａ、３Ｂの突起部とケーブルガイド装置５の関節部分Ｊやネジ７の頭部が、昇降レール３Ａ、３Ｂの端面部と干渉し、引っ掛かりを生じて収納部１が閉まらなくなったり、ネジ７が剪断するなどの問題が生じてしまうのである。
【００１２】
本発明の目的は、縮めたときの形状に偏りが発生する虞れのないジグザグ構造のケーブルガイド装置を提供することにある。
【課題を解決するための手段】
【００１３】
上記目的は、ケーブルを保持する複数のアーム部材を関節により相互に連結して伸縮自在にしたジグザグ構造のケーブルガイド装置において、前記関節に前記アーム部材相互の角度が予め決められた角度以下にならないように制限する閉じ角度制限部材が設けられていることにより達成される。
【発明の効果】
【００１４】
本発明によれば、縮めたときにもジグザグ構造の形状に偏りが発生しないので、例えば天井吊り下げ型モニタ装置に適用することにより、モニタ装置の位置を昇降させたときでもケーブルガイド装置自体に損傷が発生する虞れがない。
この結果、本発明によれば、常に確実にケーブルのガイドが得られることになり、モニタ装置の信頼性向上に有効である。
【発明を実施するための最良の形態】
【００１５】
以下、本発明に係るケーブルガイド装置について、図示の実施の形態により詳細に説明する。
ここで、図１(ａ)、(ｂ)は、本発明に係るケーブルガイド装置の一実施の形態で、全体として見た限り、図７(ａ)、(ｂ)で説明した従来技術の場合とほとんど同じで、基本的な動作も従来技術の場合と変りないが、このとき、各アーム部材の関節部分にアーム部材相互の角度が予め決められた角度以下にならないように制限する閉じ角度制限部材が設けられている点で、従来技術とは異なっている。
【００１６】
そこで、以下、この実施形態が従来技術と異なっている点について詳細に説明すると、ここで、先ず、図２は、従来技術の場合の図８と同じく、ケーブルガイド装置５の板部材２Ａと１段目のアーム部材５Ａ、及び２段目のアーム部材５Ｂを示したもので、このとき従来技術と異なる点は、先ず、従来技術のＬ字形の支持金具６に代えて、チャネル材からなる支持金具６Ａを用い、次に、この支持金具６Ａには、図３に拡大して示すように、アーム部材５Ａの板部材２Ａに対する角度が予め決められた角度以下にならないように制限する部材として、金具側ストッパー１１が設けられている。
【００１７】
また、これと共に、１段目のアーム部材５Ａの２段目のアーム部材５Ｂに連結される方の端部には、図４に拡大して示すように、同じくアーム部材相互の角度が予め決められた角度以下にならないように制限する部材として、アーム側ストッパー１２が設けられている。
そして、他の３段目から６段目までの各アーム部材の関節部分と、６段目のアーム部材５Ｆが格納部１に連結される関節部分についても同様に構成されいる。
【００１８】
ここで、図５は、１段目のアーム部材５Ａと２段目のアーム部材５Ｂについて組立を終わった状態を、図２とは反対側から見た場合で、この場合は図１と同じ側から見た状態になっており、この結果、この図５によれば、アーム部材５Ａの支持金具６Ａ側の端部の下側が支持金具６Ａの金具側ストッパー１１に当接して、図示の状態から下に回動できなくされている状態と、２段目のアーム部材５Ｂの端部で１段目のアーム部材５Ａ側にある方の下側の端部がアーム側ストッパー１２に当接して、図示の状態から下に回動できなくされている状態が良く判る。
【００１９】
そこで、いま、図６に示すように、ケーブルガイド装置５が折り畳まれたとき、これら金具側ストッパー１１とアーム側ストッパー１２により制限されるアーム部材相互の角度について、それらが各関節で均等な角度にされるように、予め金具側ストッパー１１とアーム側ストッパー１２の大きさを決めておく。
このとき、最初の１段目のアーム部材５Ａと最後の６段目のアーム部材５Ｆの角度については、他の関節部分の角度の１／２になるようにする。
【００２０】
そうすると、底板部２を押し上げ、ケーブルガイド装置５を折り畳んでモニタ装置Ｍを収納部１の中に収納したときのケーブルガイド装置５のジグザグ形状は、一方に倒れたりすることなく、図６に示すように、左右で均等になり、従って、この実施形態によれば、モニタ装置Ｍの位置を昇降させたときでもケーブルガイド装置５自体に損傷が発生する虞れがなく、この結果、常に確実にケーブル４のガイドが得られるので、ケーブル４に損傷が発生する虞も抑えられるので、モニタ装置の信頼性向上に寄与することができる。
【００２１】
更に詳しく説明すると、底板部２を押し上げ、昇降レール３Ａ、３Ｂのガイドに従って収納部１にモニタ装置Ｍを収納動作した際、外部の機器と底板部２上に設置されているモニタ装置Ｍを繋ぐケーブル４も同時に伸縮動作するが、このとき、図３に示した支持金具６Ａの金具側ストッパー１１が押し上げられ、１段目のアーム部材５Ａに接触し、この１段目のアーム部材５Ａの角度が決まる。その後、２段目のアーム部材５Ｂが、図４に示したアーム側ストッパー１２に接触し、１段目のアーム部材５Ａと２段目のアーム部材５Ｂの角度が決まる。
以下、同様に、各アーム部材がストッパーに接触することで、各アーム部材は下側から順に角度が決まることになり、従って、図６に示すように、収納されたケーブルガイド装置５が偏らないようにすることができるのである。
【００２２】
ここで、この実施形態では、各アーム部材５Ａ〜５Ｆの関節の組立に際して、図２に示すように、摩擦軽減用として表面が潤滑性を備えている材料、例えばポリアミド樹脂(登録商標名ナイロン)の薄いワッシャ１３、１４を用い、これらにより各アーム部材５Ａ〜５Ｆを両側から挟み込み挟んだ状態になるようにしてあり、この結果、関節部分での回動による摩擦が軽減され、スムースな動きが得られるようになっている。
また、このとき、各アーム部材５Ａ〜５Ｆのネジ７が固定される孔にはタップ加工を施し、更にナット１０を用いることによりダブルナット固定されるようにしてある。
従って、この実施形態によれば、ケーブルガイド装置５の収納性が改善されると共に、信頼性の高い開閉動作が実現できることになる。
【図面の簡単な説明】
【００２３】
【図１】本発明に係るケーブルガイド装置の一実施形態を示す正面図である。
【図２】本発明の実施形態における一部の分解図である。
【図３】本発明の実施形態における一部の拡大図である。
【図４】本発明の実施形態における他の一部の拡大図である。
【図５】本発明の実施形態における関節部分の拡大図である。
【図６】本発明の実施形態における折り畳み状態の説明図である。
【図７】従来技術によるケーブルガイド装置の一例を示す正面図である。
【図８】従来技術の一例における一部の分解図である。
【図９】従来技術の一例における関節部分の拡大図である。
【図１０】従来技術の一例における折り畳み状態の説明図である。
【符号の説明】
【００２４】
１：収納部
２：底板部
２Ａ：板部材
３Ａ、３Ｂ：昇降レール
４：ケーブル
５：ケーブルガイド装置
５Ａ〜５Ｆ：アーム部材
６Ａ：支持金具
７：ネジ(関節の軸となるネジ)
８：スペーサ
９：ワッシャ(大径のワッシャ)
１０：ナット
１１：金具側ストッパー
１２：アーム側ストッパー
１３、１４：ワッシャ(摩擦軽減用のワッシャ)
Ｈ：ケーブル保持用の孔
Ｍ：モニタ装置
【図１】
2009254156.tif 000003
【図２】
2009254156.tif 000004
【図３】
2009254156.tif 000005
【図４】
2009254156.tif 000006
【図５】
2009254156.tif 000007
【図６】
2009254156.tif 000008
【図７】
2009254156.tif 000009
【図８】
2009254156.tif 000010
【図９】
2009254156.tif 000011
【図１０】
2009254156.tif 000012